(57)【要約】  【課題】  ＳＣＰＣデジタル通信方式のサービス形態は、１チャネル／1基地局構成の無線通信であるため、１台の無線通信装置がチャネルを占有すると、他の無線通信装置は、基地局との通信ができない。また、ＳＣＰＣデジタル無線通信装置は、待ち受け時の消費電力が大きく、携帯端末装置としての軽量、小型化の障害となっている。  【解決手段】  無線通信装置は、ＳＣＰＣ（Single Channel Per Carrier）デジタル無線機と、無線呼出受信機および上記ＳＣＰＣデジタル無線機と上記無線呼出受信機を制御する制御部とからなり、上記無線呼出受信機は、無線呼出信号を処理する信号処理部を有し、上記制御部は、上記ＳＣＰＣデジタル無線機および上記無線呼出受信機のそれぞれの電源部の投入／遮断を制御する電源制御部を備え、上記信号処理部が上記無線呼出信号中に上記ＳＣＰＣデジタル無線機の投入または遮断信号を検出した場合、上記制御部は、上記ＳＣＰＣデジタル無線機の電源部を制御し、上記ＳＣＰＣデジタル無線機を動作状態にするように構成される。【選択図】  図１
2005101799.tif 000002
【特許請求の範囲】
【請求項１】
ＳＣＰＣ（Single Channel Per Carrier）デジタル無線機と、無線呼出受信機および上記ＳＣＰＣデジタル無線機と上記無線呼出受信機を制御する制御部とからなり、上記無線呼出受信機は、無線呼出信号を処理する信号処理部を有し、上記制御部は、上記ＳＣＰＣデジタル無線機および上記無線呼出受信機のそれぞれの電源部の投入／遮断を制御する電源制御部を備え、上記信号処理部が上記無線呼出信号中に上記ＳＣＰＣデジタル無線機の投入または遮断信号を検出した場合、上記制御部は、上記ＳＣＰＣデジタル無線機の電源部を制御し、上記ＳＣＰＣデジタル無線機を動作状態にすることを特徴とする無線通信装置。
【発明の詳細な説明】
【技術分野】
【０００１】
本発明は、無線通信装置および無線通信システムに関し、特に、ＳＣＰＣデジタル移動無線装置と無線呼出しシステム用受信機とを備えた無線通信装置および無線通信システムに関するものである。
【背景技術】
【０００２】
現在、実用化されているデジタル無線通信システムは、図５に示すように基地局５０１と基地局５０１の通信エリア５０２（あるいは通信ゾーンとも言われる。）内にある複数の移動局Ｍ１、Ｍ２、・・・（なお、移動局を総称する場合は、移動局Ｍと呼ぶことにする。）との通信接続サービス、あるいは、移動局Ｍと通信エリア５０２の外に有る移動局ｍ１、ｍ２、・・・との通信接続サービスが行なわれるように構成されたシステムである。なお、図５では、移動局Ｍ１とｍ１のみ示してある。
【０００３】
図５において基地局５０１には、上りと下りの無線周波数がペアで割り当てられており、基地局５０１から送信される送信波を下り波Ｆ1、移動局Ｍ１から基地局５０１へ送信される送信波を上り波f１と呼ぶことにする。これら上りと下りのペア波を用いて、基地局５０１と移動局Ｍ１間あるいは基地局５０１を経由した移動局Ｍ１と移動局ｍ１間の通信を行う。また通信エリア５０２内は、基地局５０１の運用エリアである。また、移動局Ｍ１と通信エリア５０２の外に有る移動局ｍ１との間の通信は、移動局間直接通信が行われる。このようなシステムは、ＳＣＰＣ方式（Single Channel Per Carrier）周波数分割多元接続（FDMA：Frequency Division Multiple Access）の１つで、１音声チャンネル当たり１搬送波を割り当てる方式である。また、使用されるＳＣＰＣ方式無線機の周波数は、４００ＭＨｚ帯の周波数が使用され、隣のチャネルとの周波数間隔は、例えば、６．２５ＫＨｚである。なお、ＳＣＰＣ方式周波数分割多元接続は、ARIB STANDARD で定められており、ここでは、説明を省略する。
【０００４】
而して、ＳＣＰＣデジタル方式のサービス形態は、上述したように１チャネル／1基地局構成の基地局通信、例えば、一斉通報のようなグループ通信（以下グループ通信と言う。）や基地局５０１と１つの移動局Ｍとの間の通信（以下セレコール通信と言う。）あるいは基地局経由の移動局間通信が一般的である。そのためセレコール通信により特定の移動局、例えば、移動局Ｍ１が下り回線を占有すると、他のＳＣＰＣデジタル移動局Ｍは、移動局Ｍ１の通話が終了するまでは、基地局５０１内の移動局Ｍ宛の着呼ができない欠点がある。結果として、災害発生時等において基地局５０１のエリア５０２内の他の移動局Ｍに特定の情報を通報するような場合、下りが１チャネルしかないと問題になるし、また、情報の伝達には非常に効率が悪くなる。また、ＳＣＰＣデジタル無線通信装置は、間欠受信を行っているが通常の頭切れの問題から間欠受信時のスリープ時間を長くすることができず、低消費電力化が行なえない。従って、移動局等の携帯端末装置としては、バッテリーが大型になり、小型化、軽量化に障害となっている。
【０００５】
また、別の無線システムとして短文メッセージ等を送ることができる無線呼出しシステム（ページングシステムとも言われる。）がある。この無線呼出しシステムは、移動通信の中で最も広くエリアをカバーするシステムである。無線呼出しシステムのサービスエリアは、都道府県単位の地域サービスからワイドエリアサービス、マルチエリアサービスなど、広範囲なエリアのサービスが行われている。この無線呼出しシステムのサービスエリアには、通常１つの無線呼出し中央局と複数の無線呼出し基地局が配置されている。発信者が無線呼出し受信機（以下ページャ受信機と言う。）の呼出し番号をダイヤルすると、無線呼出し中央局内の無線呼出し基地局に接続され、無線呼出し基地局は、対応するページャ受信機を識別するアドレス信号と入力されたメッセージ信号を各無線呼出し基地局に送信する。各無線呼出し基地局に送られた信号は、無線信号に変換され、各基地局から同一無線周波数で一斉に同時送信される。なお、ページングシステムで使用されるページャ受信周波数帯は、２８０ＭＨｚ帯が使用され、隣のチャネルとの周波数間隔は、例えば、２５ＫＨｚである。従って、ＳＣＰＣデジタル無線方式の使用周波数帯域と、ページングシステムで使用されるページャ受信周波数帯は、異なるので、相互に干渉する恐れはない。
【０００６】
ページャ受信機は、受信した選択呼出し信号中に自己のアドレス信号があれば、鳴音するとともにメッセージ信号をデコードし、内容を表示する。また、ページャ受信機は、消費電力を低減するために間欠受信が行なわれており、この無線呼出しシステムでは、高い間欠受信比率が実現され、非常に低消費電力化されたシステムとなっている。
【０００７】
また、無線通信装置、無線通信システムおよび通信装置（例えば、特許文献１参照）には、セルラーシステムとページングシステムとを結合させ、セルラー無線機の省電力化を行う技術が記載されている。
【０００８】
【特許文献１】特開２００２−３１４４７５号公報
【発明の開示】
【発明が解決しようとする課題】
【０００９】
ＳＣＰＣデジタル方式のサービス形態は、１チャネル／1基地局構成の基地局通信あるいは基地局経由の移動局間通信が一般的である。そのため１つの移動局が下り回線を占有すると、他のＳＣＰＣデジタル移動局は、その通話が終了するまでは、基地局内の他の移動局宛の着呼ができないという問題がある。また、ＳＣＰＣデジタル無線通信装置は、間欠受信を行っているが頭切れの問題から間欠受信時のスリープ時間を長くすることができず、低消費電力化が行なえない。
【００１０】
本発明の目的は、ＳＣＰＣデジタル移動端末装置が下り回線を占有している時でも他のＳＣＰＣデジタル移動端末装置は、基地局からの通報を受けることのできる無線通信装置および無線通信システムを提供することである。
【００１１】
本発明の他の目的は、ＳＣＰＣデジタル移動携帯端末装置の待ち受け時の消費電力を低減させる無線通信装置および無線通信システムを提供することである。
【課題を解決するための手段】
【００１２】
本発明の無線通信装置は、ＳＣＰＣ（Single Channel Per Carrier）デジタル無線機と、無線呼出受信機および上記ＳＣＰＣデジタル無線機と上記無線呼出受信機を制御する制御部とからなり、上記無線呼出受信機は、無線呼出信号を処理する信号処理部を有し、上記制御部は、上記ＳＣＰＣデジタル無線機および上記無線呼出受信機のそれぞれの電源部の投入／遮断を制御する電源制御部を備え、上記信号処理部が上記無線呼出信号中に上記ＳＣＰＣデジタル無線機の投入または遮断信号を検出した場合、上記制御部は、上記ＳＣＰＣデジタル無線機の電源部を制御し、上記ＳＣＰＣデジタル無線機を動作状態にするように構成される。
【００１３】
また、本発明の無線通信装置において、上記ＳＣＰＣデジタル無線機がＳＣＰＣデジタル基地局からの同期信号に同期した場合、上記制御部は、上記ＳＣＰＣデジタル無線機を待ち受け状態に保持するように構成される。
【００１４】
また、本発明の無線通信装置において、上記制御部が無線通信装置の現在位置を上記無線呼出受信機のサービスエリア内と判断した場合、上記制御部は、上記ＳＣＰＣデジタル無線機の電源を遮断し、上記無線呼出受信機の電源を投入するように制御するように構成される。
【００１５】
更に、本発明の無線通信システムは、複数の無線通信装置と、無線呼出基地局と、ＳＣＰＣデジタル基地局および上記無線呼出基地局と上記ＳＣＰＣデジタル基地局と結合された制御局とからなり、上記複数の無線通信装置の少なくとも２台の無線通信装置の各々は、ＳＣＰＣデジタル無線機と、無線呼出受信機および上記ＳＣＰＣデジタル無線機と上記無線呼出受信機を制御する制御部とから構成され、上記制御局は、ＳＣＰＣデジタル制御局部と制御呼出中央局部および記憶装置を有し、上記記憶装置は、無線呼出エリアコードとＳＣＰＣ通信エリアとを対応付けたテーブルを記憶し、少なくとも1台の上記無線通信装置のＳＣＰＣデジタル無線機が上記ＳＣＰＣデジタル基地局からの同期信号に同期した場合、上記制御部は、上記ＳＣＰＣデジタル無線機を待ち受け状態に保持するように構成される。
【００１６】
また、本発明の無線通信システムにおいて、更に、上記無線通信装置が上記テーブルに基づいて無線呼出エリア内にあると判断された場合、上記無線通信装置のＳＣＰＣデジタル無線機の電源を遮断し、上記無線呼出受信機の電源を投入するように構成される。
【００１７】
また、本発明の無線通信システムにおいて、更に、上記無線呼出受信機は、無線呼出信号を処理する信号処理部を有し、上記制御部は、上記ＳＣＰＣデジタル無線機および上記無線呼出受信機のそれぞれの電源部の投入／遮断を制御する電源制御部を備え、上記信号処理部が上記無線呼出信号中に上記ＳＣＰＣデジタル無線機の投入または遮断信号を検出した場合、上記制御部は、上記ＳＣＰＣデジタル無線機の電源部を制御し、上記ＳＣＰＣデジタル無線機を動作状態にするように構成される。
【発明の効果】
【００１８】
以上説明したように、本発明によれば、ＳＣＰＣデジタルシステムにおいて、特定のＳＣＰＣデジタル移動端末装置が下り回線を占有してる時でも他のＳＣＰＣデジタル移動端末装置は、基地局からの通報を受信することができるので、見かけ上、下り回線のチャネルが増加する効果がある。また、ＳＣＰＣデジタル移動端末装置のスリープ期間を長くできるので、待ち受け時の電力消費を大幅に低減することができる。また、ページャ通信メッセージの内容をモニタすることができるので、エリア内とエリア外の公衆網を通して指令されるメッセージを把握することができる。
【発明を実施するための最良の形態】
【００１９】
図１は、本発明の一実施例を示すブロック図である。図１における本発明の無線通信装置は、ページャ受信機（無線呼出受信機とも言う。）１０１と、ＳＣＰＣデジタル無線機１０２およびページャ受信機１０１とＳＣＰＣデジタル無線機１０２を制御する制御部１０３から構成されている。なお、ページャ受信機１０１、ＳＣＰＣデジタル無線機１０２および制御部１０３の詳細については後述する。この無線通信装置は、図２で示す無線通信システムで動作するように構成されている。図２において、２０１−１、２０１−２、・・・２０１−ｎは、図１で示す携帯端末装置のような無線通信装置である。なお、無線通信装置を総称する場合は２０１と呼ぶことにする。２０２は、制御局であり、この制御局２０２には、無線呼出しシステム（ページングシステム）の中央局の機能を有する制御呼出中央局部２０３およびＳＣＰＣデジタルシステムにおける制御局の機能を有するＳＣＰＣデジタル制御局部２０４が相互に結合され、情報交換できるように構成されると共に記憶部２０５を有している。なお、記憶部２０５については後述する。また、制御局２０２は、公衆網２０６に接続されている。そして、制御呼出中央局部２０３は、無線呼出基地局２０７に接続されている。無線呼出基地局２０７は、無線通信装置２０１のページャ受信機１０１に対応するページャ受信機を識別するアドレス信号と入力されたメッセージ信号を送信するように構成されている。２０８は、無線呼出エリアを示す。なお、この無線呼出しシステムは、従来周知のように公衆網２０６からの電話呼出により無線通信装置２０１を呼出すことができることは言うまでもない。また、図２においては、簡略にするために、無線呼出基地局２０７については１つのみ図示しているが、広範囲なエリアのサービスが行われているため、数多くの無線呼出基地局が存在することは言うまでもない。
【００２０】
一方、ＳＣＰＣデジタル制御局部２０４は、ＳＣＰＣデジタル基地局２０９と接続されている。このＳＣＰＣデジタル基地局２０９は、無線通信装置２０１のＳＣＰＣデジタル無線機１０２と送受信できるように構成されている。
【００２１】
制御局２０２の記憶装置２０５は、例えばＲＯＭのようなメモリで構成され、無線通信装置２０１に内蔵されているページャ受信機１０１の電話番号（ページャ受信機番号）とＳＣＰＣデジタル無線機１０２の電話番号（ＳＣＰＣデジタル無線機番号）との対応表が表１のようにメモリテーブルとして記憶されている。なお、記憶装置２０５は、図２で示されるように制御呼出中央局部２０３あるいはＳＣＰＣデジタル制御局部２０４に共通に設けることもできるし、また、それぞれに個別に設けることもできる。
【００２２】
【表１】
2005101799.tif 000003
【００２３】
表１に示す対応表は、無線通信装置２０１に内蔵されているペアのページャ受信機の受信機番号、例えば、ａ、ｂ、・・・とＳＣＰＣデジタル無線機の無線機番号、例えば、ｘ、ｙ、・・・を対応づけて構成されている。そして、例えば、無線通信装置２０１−１のページャ受信機から無線通信装置２０１−２のＳＣＰＣデジタル無線機を呼出す場合あるいは逆にＳＣＰＣデジタル無線機からページャ受信機を呼出す場合にこの表１を参照する。
【００２４】
更に、制御局２０２の記憶装置２０５には、ページングシステムのサービスエリアとＳＣＰＣデジタル基地局の通信エリアの対応関係を示す対応表が表２のようにメモリテーブルとして記憶されている。
【００２５】
【表２】
2005101799.tif 000004
【００２６】
この表２は、ページャのエリアコードＡ、Ｂ、・・・ＮとＳＣＰＣの通信エリアＳ１、Ｓ２、・・・の関係が対応づけてテーブル化されている。
【００２７】
次に、図１に戻って、無線通信装置２０１の構成について、詳細に説明する。まず、ページャ受信機１０１は、無線呼出基地局２０７からの無線呼出信号をアンテナ１０４で受信する。アンテナ１０４で受信された信号は、高周波増幅部１０５で増幅された後、２分岐され、周波数変換部１０６及び１０７に入力される。各周波数変換部１０６、１０７には、発信器１０８から搬送波信号周波数に等しい周波数の局部発信信号が位相器１０９を介して、それぞれ９０度位相の異なる搬送波信号として供給され、ベースバンド信号に変換される。各周波数変換部１０６、１０７からの出力は、それぞれフィルタ１１０、１１１及びリミッタ１１２、１１３を介して復調器１１４に入力され、復調される。この復調信号は、受信信号処理部１１５に供給される。受信信号処理部１１５では、受信された呼出信号から自局のアドレス信号が検出された時は、そのメッセージ信号がデコードされる。デコードされたメッセージ信号は、制御部１０３に供給され、ページングシステムにおける通常の受信メッセージである場合には表示部１２２に表示されることとなる。なお、１１６は、ページャ受信機１０１の電源を示し、ページャ受信機１０１の各部に電力を供給するものであるが、図１では、詳細を省略してある。
【００２８】
而して、以下に本発明のページング受信機１０１とＳＣＰＣデジタル無線機を一体化した無線通信装置で使用される信号フォーマットについて図４を用いて説明する。図４は、ページングシステムで用いられているフレームフォーマットを示す図である。ページングシステムでは、伝送信号は、フレーム周期Ｔの繰返しで構成され、Ｔは、１２８フレーム周期（４分０秒）であり、１フレームは、１．８７５秒で構成されている。Ｆｒ０は、フレームＮｏ．０番目（図４のFrame 0で示す。）の拡大図である。１フレームは、同期信号部（SYNC）および１１個のブロック（Block 0,1,・・10）で構成されている。Block 0 は、ブロック情報およびアドレスフィールドで構成されている。ブロック情報とは、アドレスフィールドおよびベクトルフィールドのフレーム内のそれぞれの起点、システム可変サイクル、キャリーオン、日付、時間、各無線チャネルＩＤ等の情報を含んでいる。アドレスフィールドとは、全てのアドレス情報が入っており、ブロック情報の次に位置している。
【００２９】
Block 1 は、ベクトルフィールドで、ベクトル情報が含まれている。各ベクトルは、それぞれ対応するアドレスと対をなし、各アドレスに組合わされるメッセージの起点、種類（数字、文字等）、メッセージの長さ等が含まれる。Block 2 〜Block 8 は、メッセージデータフィールドであり、送信すべきメッセージデータの伝送領域である。Block 9、10は、アイドルフィールドで、未使用の場合には、１０１０・・・のダミービットのパターンで構成される。
【００３０】
ここでページングシステムを用いてＳＣＰＣデジタル無線機１０２の電源をＯＮあるいはＯＦＦする機能について説明する。図４においてBlock 2 〜Block 8 は、メッセージデータを送信する領域として説明したが、本発明では、例えば、Block 2 にＳＣＰＣデジタル無線機１０２のＯＮあるいはＯＦＦする情報ＳＷを挿入する。例えば、ＳＣＰＣデジタル無線機１０２のＯＮ情報としては、ＳＷに１ビット“１”を、また、ＯＦＦ情報としては、ＳＷに１ビット“０”を挿入するように構成する。なお、本説明では、Block 2 に１ビットを挿入することについて説明したが、２ビット以上であっても良いし、Block 2 以外の場所に挿入することもできる。また、ＳＣＰＣデジタル無線機１０２のＯＮあるいはＯＦＦ情報を受信信号処理部１１５が確実に検出できるように周期的に数カ所に挿入することもできる。
【００３１】
このように構成することによりページャ受信機１０１によりＳＣＰＣデジタル無線機１０２の電源を投入することを指示するメッセージＳＷが無線呼出基地局２０７の呼出信号に含まれているときは、受信信号処理部１１５は、これを検出し、検出信号は、制御部１０３のバス１２５を介してＳＣＰＣデジタル無線機電源制御部に供給され、ＳＣＰＣデジタル無線機１０２の電源１４３をオンする。なお、ここでは、ページャ受信機１０１として、上述のようなダイレクトコンバージョン方式を採用するものとしたが、スーパーヘテロダイン方式のものとしてもよいことは勿論である。
【００３２】
次に、ＳＣＰＣデジタル無線機１０２について説明する。まず、ＳＣＰＣデジタル基地局２０９からの信号は、アンテナ１２６で受信され、アンテナ共用器１２７を介して受信部１２８に入力される。受信部１２８では、高周波増幅部１２９で高周波増幅された後、受信ミキサ１３０において周波数シンセサイザ１３３からの局部発信信号により周波数変換され、中間周波増幅器１３１を介して復調器１３２にて復調される。自局に対する復調された受信信号は、ベースバンド信号処理部１３４の受信信号処理部１３５にて信号処理され、受話器１３６に出力され、また、送信内容によっては制御部１０３を介して表示部１２２に出力される。
【００３３】
一方、送話器１３７からの音声信号あるいは制御部１０３からの入力データは、送信信号処理部１３８において信号処理された後、送信部１３９に入力される。送信部１３９では、送信信号処理部１３８の出力信号を変調器１４０で所定の変調処理を施された後、周波数シンセサイザ１３３からの信号が供給される送信ミキサ１４１で高周波信号に変換され、送信電力増幅部１４２で電力増幅された後、アンテナ共用器１２７、アンテナ１２６を介してＳＣＰＣデジタル基地局２０９に向け送信される。１４３は、ＳＣＰＣデジタル無線機１０２の電源であり、ＳＣＰＣデジタル無線機電源制御部１２４によりＳＣＰＣデジタル無線機１０２に対する電源投入／切断が制御される。なお、電源１４３は、ＳＣＰＣデジタル無線機１０２の各部の回路、部品に電力を供給するものであるが、ここでは詳細な内容は省略してある。
【００３４】
制御部１０３において、中央処理装置（主ＣＰＵ）１１７は、無線通信装置２０１全体の制御を行う。１１８は、制御用プログラムや所定の定数、各種パラメータやテーブル類を格納する記憶装置（ＲＯＭ）、１１９は、ワークエリアとして使用されるＲＡＭである。１２０は、入力キー１２１および表示部１２２をバス１２５と結合するためのインターフェースである。１２３は、ページャ受信機１０１に対する電源投入／切断を制御するページャ受信機電源制御部であり、ページャ受信機１０１の電源１１６を制御する。
【００３５】
なお、ページャ受信機１０１の受信信号処理部１１５並びにＳＣＰＣデジタル無線機１０２のベースバンド信号処理部１３４の各出力は、バス１２５により相互に接続されている。そして、制御部１０３は、ページャ受信機１０１およびＳＣＰＣデジタル無線機１０２における送受信シーケンス動作の制御、送受信制御信号の変復調、送受信プロトコルの制御などの制御を行なうと共にページングシステムの受信メッセージやＳＣＰＣデジタル無線機１０２で受信された情報あるいは操作者に対する各種情報を表示部１２２で表示するための処理、入力キー１２１から入力されたデータをＳＣＰＣデジタル無線機１０２のベースバンド信号処理部１３４に出力する処理、ページャ受信機電源制御部１２３とＳＣＰＣデジタル無線機１０２の電源を投入することを指示するメッセージが受信されたとき、ＳＣＰＣデジタル無線機電源制御部１２４を介してＳＣＰＣデジタル無線機１０２の電源１４３を投入する処理、その他無線通信装置２０１全体の動作の制御を行う。
【００３６】
次に、図１に示す無線通信装置２０１の動作について図３を用いて説明する。まず、ステップ３０１でＳＣＰＣデジタル無線機１０２の電源をＯＮする。例えば、入力キー１２１を操作してＳＣＰＣデジタル無線機電源制御部１２４を介してＳＣＰＣデジタル無線機１０２の電源１４３をオンする。
【００３７】
ステップ３０２では、ＳＣＰＣデジタル基地局２０９に同期しているかどうかを判断する。即ち、ＳＣＰＣデジタル無線機１０２の電源１４３がオンされると、ＳＣＰＣデジタル無線機１０２がＳＣＰＣデジタル基地局２０９と交信を開始する。ＳＣＰＣデジタル基地局２０９は、無線通信装置２０１に対して常時空線信号（一種の同期信号）を、例えば、４０ｍsec間隔で送信している。従って、無線通信装置２０１では、この同期信号を検出することでＳＣＰＣデジタル無線システムの圏内／圏外の判定をする。この圏内／圏外の判定は、同期がとれるか、とれないかで制御部１０３の中央処理装置１１７が判断する。ＹＥＳと判断されると、ＳＣＰＣデジタル無線システムの圏内であるため、ステップ３０３に進む。一方、ＳＣＰＣデジタル無線システムの圏外であると判断された場合は、ステップ３０８へ進む。
【００３８】
ステップ３０３では、ＳＣＰＣデジタルシステムの待ち受け状態となり、通常のＳＣＰＣデジタルシステムと同様の機能を実行する。即ち、ＳＣＰＣデジタル無線機１０２からＳＣＰＣデジタル基地局２０９に情報を送信する場合、ステップ３０４の“発呼”に進み、ＳＣＰＣデジタル基地局２０９からの情報受信においては、ステップ３０５の“着呼”に進み、ステップ３０６の通信状態へと移行する。通信が終了（ステップ３０７）すると、ステップ３０８へ進む。なお、所定期間、例えば、数秒間“発呼”または“着呼”が生起されない場合は、通話路は、切断され、ステップ３０７に進む。この所定期間は、例えば、内蔵するタイマで適宜設定することができる。
【００３９】
ステップ３０８では、ページャのサービスエリア内かどうかを判断する。このページャのサービスエリア内かどうかの判断は、先に説明した制御局２０２の記憶装置２０５に記憶されている表２に示すメモリテーブルを参照して判断される。即ち、表２においてＳＣＰＣの通信エリアＳ１に対しては、ページャのエリアコードＢが対応するが、ＳＣＰＣの通信エリアＳ２に対しては、ページャのエリアコードに対応するものがない。即ち、表２から明らかなようにページャのサービスエリアとＳＣＰＣの通信エリアが重なる場合と、ページャのサービスエリアのみの場合およびＳＣＰＣの通信エリアのみの場合との３種類に分類される。従って、無線通信装置２０１の現在位置がページャのサービスエリアでない場合（ＮＯ）には、ステップ３０２に戻り、ＳＣＰＣデジタル無線のサービスエリアかどうかの判断ステップに進む。一方、ページャのサービスエリアの場合（ＹＥＳ）には、ステップ３０９に進む。
【００４０】
ステップ３０９では、ページャのエリア登録を行う。即ち、ページャ受信機１０１には、情報の受信機能はあるが、情報の送信機能はない。従って、このエリア登録は、ＳＣＰＣデジタル無線機１０２を介して行う。即ち、無線通信装置２０１の制御部１０３は、無線呼出中央局部２０３に対するページャのサービスのエリア登録信号をＳＣＰＣデジタル無線機１０２のベースバンド信号処理部１３４に供給し、ＳＣＰＣデジタル無線機１０２を介して送信する。ＳＣＰＣデジタル基地局２０９では、このエリア登録信号を受信し、ＳＣＰＣデジタル制御局２０４に送られる。このエリア登録信号は、ＳＣＰＣデジタル制御局２０４から無線呼出中央局部２０３に通知される。このようにして、ページングシステムのエリア登録が、ＳＣＰＣシステムを介して、自動的に行われ、ステップ３１０に進む。
【００４１】
ステップ３１０では、ページャ受信機１０１の電源１１６がＯＮされる。即ち、制御部１０３のページャ受信機電源制御部１２３によりページャ受信機１０１の電源１１６を投入し、ページャ受信機１０１を動作状態にし、ステップ３１１に進む。
【００４２】
ステップ３１１では、ＳＣＰＣデジタル無線機電源制御部１２４の制御によりＳＣＰＣデジタル無線機１０２の電源１４３をＯＦＦし、ＳＣＰＣデジタル無線機１０２の動作を休止する。
【００４３】
ステップ３１２は、ページングシステムの待ち受け状態である。即ち、ＳＣＰＣデジタル無線機１０２は、休止状態であるが、ページャ受信機１０１は、動作状態である。しかしながら前述したようにページングシステムの待ち受け状態は、高い間欠受信比率が実現されており、非常に低消費電力化されているので、非常に消費電力の少ないシステムとなっている。
【００４４】
上記ステップ３１２は、ページングシステムの待ち受け状態で、ページングシステムを介して呼出しがあった場合、ステップ３１３に進み、その呼出しの種類（メッセージの種類）について判定を行う。即ち、ページャ受信機１０１では、送られてくるメッセージの種類を受信信号処理部１１５で処理し、通常のページングサービスの呼出しであるときには、ステップ３１４に進み、通常のページングサービスの受信を行い、ページングサービスの受信終了（ステップ３１５）により、ステップ３１２に戻り、ページングシステムの待ち受け状態となる。
【００４５】
一方、メッセージの種類を受信信号処理部１１５で処理した結果、図４で示すＳＣＰＣデジタル無線機１０２の電源ＯＮ信号ＳＷを検出すると、この電源ＯＮ信号ＳＷは、バス１２５を介してＳＣＰＣデジタル無線機電源制御部１２４に送られ、ＳＣＰＣデジタル無線機１０２の電源１４３をＯＮするように制御する（ステップ３０１）。
【００４６】
その結果、ＳＣＰＣデジタル無線機の電源が投入され（ステップ３０１）、ＳＣＰＣデジタル基地局２０９との間に同期がとられ（ステップ３０２）、ＳＣＰＣデジタル無線機１０２への呼出しである時は、ＳＣＰＣデジタルシステムの待ち受け（ステップ３０３）に移行し、自己に対する呼出し信号を受信し（ステップ３０５）、通信を行う（ステップ３０６）。通信終了（ステップ３０７）後、ページングシステムのサービスエリア内であるか否かの判定（ステップ３０８）に戻る。以上の動作が繰返される。
【００４７】
以上本発明について詳述したが、本発明は、ＳＣＰＣデジタルシステムの通信エリアで、かつ、ページングシステムの通信エリアである場合、例えば、無線通信装置２０１−１がＳＣＰＣデジタルシステムでＳＣＰＣデジタル基地局２０９と通話中であっても他の無線通信装置２０１−２、２０１−３、・・・は、ページングシステムによる待ち受け状態であるため、緊急の際には、制御局２０２から無線呼出基地局２０７を介して緊急情報を無線通信装置２０１−２、２０１−３、・・・に送信することが可能となる。そに結果、無線通信装置２０１−１が通話中でＳＣＰＣ無線システムのチャネルを専有していたとしても、制御局２０２からの緊急のメッセージを他の無線通信装置２０１−２、２０１−３、・・・に通信でき、必要によりメッセージ内容を表示装置に表示することもできる。
【００４８】
なお、本発明の無線通信装置は、この装置の現在位置がページャシステムの通信エリア内で、ＳＣＰＣデジタル無線システムにの通信エリア外では、ページャシステムとして動作し、ＳＣＰＣデジタル無線システムの通信エリア内で、ページャシステムの通信エリア外では、ＳＣＰＣデジタル無線システムとして動作することは勿論である。
【００４９】
従って、ＳＣＰＣデジタル方式のサービス形態は、１チャネル／1基地局構成の基地局通信では、１台の無線通信装置２０１−１としか通信できないと言う問題を解消することができる。
【００５０】
また、本発明のＳＣＰＣデジタル無線装置においては、電源投入後、ページングシステムのエリア内に位置している時には、ページングシステムに対してエリア登録を行い、ＳＣＰＣデジタル無線機の電源を遮断してページャ受信機のみを動作させるようにして、ページングシステムの待ち受けによりＳＣＰＣデジタルシステムの待ち受け動作を代替するようにしている。したがって、無線通信装置の待ち受け時の電力消費を大幅に低減することができる。
【００５１】
以上、本発明について詳細に説明したが、本発明は、ここに記載された無線通信装置および無線通信システムに限定されるものではなく、上記以外の無線通信装置および無線通信システムに広く適応することが出来ることは、言うまでも無い。
【図面の簡単な説明】
【００５２】
【図１】本発明の一実施例の概略構成を示すブロック図である。
【図２】本発明に使用される通信システムを説明するための図である。
【図３】本発明の動作を説明するための図である。
【図４】本発明の使用するページングシステムのフレームフォーマットを説明するための図である。
【図５】従来のＳＣＰＣデジタル無線通信システムを説明するための図である。
【符号の説明】
【００５３】
１０１：ページャ受信機、１０２：ＳＣＰＣデジタル無線機、１０３：制御部、１０４、１２６：アンテナ、１０５：高周波増幅器、１０６、１０７：周波数変換部、１０８：発信機、１０９：位相器、１１０、１１１：フイルタ、１１２、１１３：リミッタ、１１４、１３２：復調器、１１５：受信信号処理部、１１６：ページャ受信機の電源、１１７：中央処理装置、１１８：ＲＯＭ、１１９：ＲＡＭ、１２０：インターフェース、１２１：入力キー、１２２：表示部、１２３：ページャ受信機電源制御部、１２４：ＳＣＰＣデジタル無線機電源制御部、１２５：バス、１２７：アンテナ共用器、１２８：受信部、１２９：高周波増幅部、１３０：受信ミキサ、１３１：ＩＦ増幅器、１３３：周波数シンセサイザ、１３４：ベースバンド信号処理部、１３５：受信信号処理部、１３６：受話器、１３７：送話器、１３８：送信信号処理部、１３９：送信部、１４０：変調器、１４１：送信ミキサ、１４２：送信電力増幅器、１４３：ＳＣＰＣデジタル無線機の電源、２０１：無線通信装置、２０２：制御局、２０３：制御呼出中央局部、２０４：ＳＣＰＣデジタル制御局、２０５：記憶部、２０６：公衆網、２０７：無線呼出基地局、２０８：無線呼出エリア、２０９：ＳＣＰＣデジタル基地局。
【図１】
2005101799.tif 000005
【図２】
2005101799.tif 000006
【図３】
2005101799.tif 000007
【図４】
2005101799.tif 000008
【図５】
2005101799.tif 000009